(57)【要約】  【課題】オフセットカム３とタペット２が偏磨耗し難いオフセットカム装置を提供する。  【解決手段】カム軸中心軸線１ａの軸長方向を横方向として、オフセットカム３は、カム面４の幅員中央部４ａがタペット中心軸線２ａから横一側にずれ、タペット中心軸線２ａと平行な向きに見て、カム軸中心軸線１ａと直交し、かつタペット中心軸線２ａを通過する仮想境界線４ｄを想定し、オフセットカム３のカム面４のうち、仮想境界線４ｄよりも前記ずれ側の面をずれ側面４ｂとし、残りの面を反ずれ側面４ｃとした場合に、反ずれ側面４ｃは、ずれ側面４ｂよりも低い摩擦係数の低摩擦領域４ｅを備えている。【選択図】    図１
2020105994.tif 000002
【特許請求の範囲】
【請求項１】
オフセットカム(３)を有するカム軸(１)と、有底円筒形のタペット(２)を備え、
カム軸中心軸線(１ａ)の軸長方向を横方向として、オフセットカム(３)は、カム面(４)の幅員中央部(４ａ)がタペット中心軸線(２ａ)から横一側にずれ、
タペット中心軸線(２ａ)と平行な向きに見て、カム軸中心軸線(１ａ)と直交し、かつタペット中心軸線(２ａ)を通過する仮想境界線(４ｄ)を想定し、
オフセットカム(３)のカム面(４)のうち、仮想境界線(４ｄ)よりも前記ずれ側の面をずれ側面(４ｂ)とし、残りの面を反ずれ側面(４ｃ)とした場合に、
反ずれ側面(４ｃ)は、ずれ側面(４ｂ)よりも低い摩擦係数の低摩擦領域(４ｅ)を備えている、ことを特徴とするオフセットカム装置。
【請求項２】
請求項１に記載されたオフセットカム装置において、
低摩擦領域(４ｅ)は、ずれ側面(４ｂ)よりも摩擦係数が低い低摩擦皮膜(５)を備え、
低摩擦皮膜(５)は、固体潤滑剤を含む樹脂、フッ素樹脂、ダイヤモンドライクカーボン、二硫化モリブデン、グラファイト、リン酸マンガン塩、クロムから選択される素材の皮膜で形成されている、ことを特徴とするオフセットカム装置。
【請求項３】
請求項１または請求項２に記載されたオフセットカム装置において、
低摩擦領域(４ｅ)は、ずれ側面(４ｂ)よりも摩擦係数が低い複数の低摩擦皮膜(５)(５)と、隣り合う低摩擦皮膜(５)(５)の間に形成される皮膜間油溝(６)を備えている、ことを特徴とするオフセットカム装置。
【請求項４】
請求項３に記載されたオフセットカム装置において、
複数の低摩擦皮膜(５)(５)は斑点状に分散して配置され、皮膜間油溝(６)は網目状に形成されている、ことを特徴とするオフセットカム装置。
【請求項５】
請求項４に記載されたオフセットカム装置において、
皮膜間油溝(６)は、皮膜間誘導溝部分(６ａ)を備え、
皮膜間誘導溝部分(６ａ)は、タペット中心軸線(２ａ)と平行な向きに見て、カム軸中心軸線(１ａ)と交差する向きとされ、皮膜間誘導溝部分(６ａ)の油出口(６ｂ)は、カム回転方向(３ａ)の上手側に配置された低摩擦皮膜(５)に向けて開口されている、ことを特徴とするオフセットカム装置。
【請求項６】
請求項１に記載されたオフセットカム装置において、
低摩擦領域(４ｅ)は、カム面(４)に刻設された刻設油溝(８)を備え、刻設油溝(８)内の油(７)の潤滑で低摩擦係数を備える、ことを特徴とするオフセットカム装置。
【請求項７】
請求項６に記載されたオフセットカム装置において、
刻設油溝(８)は、刻設誘導溝部分(８ａ)(８ａ)を備え、
刻設誘導溝部分(８ａ)(８ａ)は、タペット中心軸線(２ａ)と平行な向きに見て、カム軸中心軸線(１ａ)と交差する向きとされている、ことを特徴とするオフセットカム装置。
【請求項８】
請求項１から請求項７に記載されたオフセットカム装置において、
エンジンの動弁装置に用いられている、ことを特徴とするオフセットカム装置。
【発明の詳細な説明】
【技術分野】
【０００１】
本発明は、オフセットカム装置に関し、詳しくは、オフセットカムとタペットが偏磨耗し難いオフセットカム装置に関する。
【背景技術】
【０００２】
従来、オフセットカムを有するカム軸と、有底円筒形のタペットを備え、カム軸中心軸線の軸長方向を横方向として、オフセットカムは、カム面の幅員中央部がタペット中心軸線から横一側にずれているオフセットカム装置がある(例えば、特許文献１参照)。
この種の装置では、オフセットカムとタペットの接触でタペットに生じる回転で、オフセットカムとタペットの偏磨耗を抑制することができる。
【先行技術文献】
【特許文献】
【０００３】
【特許文献１】実開昭５８−２０３１１号公報(第１図参照)
【発明の概要】
【発明が解決しようとする課題】
【０００４】
《問題点》  オフセットカムとタペットが偏磨耗することがある。
特許文献１のエンジンでは、オフセットカムとタペットの接触でタペットに生じる正回転力が逆回転力と拮抗し、タペットの回転が停滞し、オフセットカムとタペットが偏磨耗することがある。
【０００５】
本発明の課題は、オフセットカムとタペットが偏磨耗し難いオフセットカム装置を提供することにある。
【課題を解決するための手段】
【０００６】
この発明の構成は、次の通りである。
図１(Ａ)(Ｃ)(Ｄ)に例示するように、オフセットカム(３)を有するカム軸(１)と、有底円筒形のタペット(２)を備え、
図１(Ａ)(Ｄ)に例示するように、カム軸中心軸線(１ａ)の軸長方向を横方向として、オフセットカム(３)は、カム面(４)の幅員中央部(４ａ)がタペット中心軸線(２ａ)から横一側にずれ、
図１(Ａ)に例示するように、タペット中心軸線(２ａ)と平行な向きに見て、カム軸中心軸線(１ａ)と直交し、かつタペット中心軸線(２ａ)を通過する仮想境界線(４ｄ)を想定し、
オフセットカム(３)のカム面(４)のうち、仮想境界線(４ｄ)よりも前記ずれ側の面をずれ側面(４ｂ)とし、残りの面を反ずれ側面(４ｃ)とした場合に、
反ずれ側面(４ｃ)は、ずれ側面(４ｂ)よりも低い摩擦係数の低摩擦領域(４ｅ)を備えている、ことを特徴とするオフセットカム装置。
【発明の効果】
【０００７】
この発明では、低摩擦係数の低摩擦領域(４ｅ)とタペット(２)との接触でタペット(２)に発生する逆回転力(２ｃ)が小さく、ずれ側面(４ｂ)とタペット(２)との接触でタペット(２)に生じる正回転力(２ｂ)が、逆回転力(２ｃ)と拮抗せず、タペット(２)がスムーズに回転し、オフセットカム(３)とタペット(２)が偏磨耗し難い。
【図面の簡単な説明】
【０００８】
【図１】本発明の実施形態に係るエンジンのオフセットカム装置を説明する図で、図１(Ａ)はオフセットカムに載せたタペットの平面図、図１(Ｂ)はオフセットカムの低摩擦領域の基本例、図１(Ｃ)は図１(Ａ)のＣ−Ｃ線断面図、図１(Ｄ)は図１(Ａ)のＤ−Ｄ線断面図である。
【図２】図２(Ａ)は図１のオフセットカム装置の低摩擦領域の第１変形例の説明図、図２(Ｂ)は低摩擦領域の第２変形例の説明図である。
【図３】図１のオフセットカム装置を用いたエンジンの立断面図である。
【発明を実施するための形態】
【０００９】
図１〜図３は、本発明の実施形態に係るエンジンのオフセットカム装置を説明する図で、この実施形態では、立形の多気筒ディーゼルエンジンのオフセットカム装置について説明する。
【００１０】
図３に示すように、このエンジンは、ピストン(９)を内蔵したシリンダ(１０)を有するシリンダブロック(１１)と、シリンダブロック(１１)の上部に組み付けられたシリンダヘッド(１２)と、シリンダヘッド(１２)の上部に組み付けられたシリンダヘッドカバー(１３)と、動弁装置(１４)を備えている。
シリンダヘッド(１２)は、吸気ポート(１５)と、吸気ポート(１５)の弁口(１５ａ)を開閉する吸気弁(１６)と、燃料噴射ノズル(１７)を臨ませた副室(１８)と、副室(１８)と吸気ポート(１５)と排気ポート(図示せず)の周囲を取り囲むヘッドジャケット(１２ａ)を備えている。副室(１８)は渦室である。ヘッドジャケット(１２ａ)はエンジン冷却水を通過させる部屋である。
【００１１】
図３に示すように、動弁装置(１４)は、オフセットカム(３)を有するカム軸(１)と、オフセットカム(３)に載せた有底円筒形のタペット(２)と、プッシュロッド(１９)と、ロッカアーム(２０)と、吸気弁(１６)の弁バネ(１６ａ)を備えている。
この動弁装置では、クランク軸(図外)の駆動力が、オフセットカム(３)、タペット(２)、プッシュロッド(１９)、ロッカアーム(２０)の順に伝達され、ロッカアーム(２０)の押圧力と弁バネ(１６ａ)の不勢力との不釣合い力で、吸気弁(１６)の開閉がなされる。排気弁(図外)も同様の機構で開閉される。
【００１２】
図３に示すように、カム軸(１)は、シリンダブロック(１１)のカム室(２１)に収容され、タペット(２)は、シリンダブロック(１１)のタペットガイド孔(２２)に内嵌され、プッシュロッド(１９)は、シリンダブロック(１１)からシリンダヘッド(１２)に亘って形成されたプッシュロット室(２３)に挿通され、ロッカアーム(２０)は、シリンダヘッドカバー(１３)内に収容され、シリンダヘッド(１２)上のロッカアームブラケット(２４)にロッカアーム枢軸(２５)を介して揺動自在に支持されている。
【００１３】
図３に示すように、シリンダヘッドカバー(１３)内は、強制潤滑装置(図示せず)を介してロッカアーム(２０)に供給された油(７)のミストや、クランク室(図示せず)から、カム室(２１)と、タペット(２)の内底部周壁の孔(２ｄ)と、プッシュロッド室(２３)を順に介して流入するブローバイガス(２６)に含まれる油(７)のミストで充満され、シリンダヘッドカバー(１３)内で凝集した油(７)は、ブローバイガス(２６)と逆向きの流れでクランク室(図示せず)に戻り、クランク室下方のオイルパン(図示せず)に溜められる。
ブローバイガス(２６)に含まれる油(７)のミストはオフセットカム(３)のカム面(４)で凝集し、或いは、タペット(２)の内底部周壁の孔(２ｄ)からカム室(２１)に流出する油(７)は、オフセットカム(３)のカム面(３ａ)に供給される。
なお、ブローバイガス(２６)は、シリンダヘッドカバー(１３)のブリーザ室(１３ａ)で油(７)が分離され、吸気経路(図外)から燃焼室(２７)に還流される。
【００１４】
動弁装置(１４)を構成するオフセットカム装置の構成は、次の通りである。
図１(Ａ)(Ｃ)(Ｄ)に示すように、オフセットカム装置は、オフセットカム(３)を有するカム軸(１)と、有底円筒形のタペット(２)を備えている。
図１(Ａ)(Ｄ)に示すように、カム軸中心軸線(１ａ)の軸長方向を横方向として、オフセットカム(３)は、カム面(４)の幅員中央部(４ａ)がタペット中心軸線(２ａ)から横一側(図面の右側)にずれている。
図１(Ａ)に示すように、タペット(２)の底壁(２ｅ)上からタペット中心軸線(２ａ)と平行な向きに見て、カム軸中心軸線(１ａ)と直交し、かつタペット中心軸線(２ａ)を通過する仮想境界線(４ｄ)を想定し、オフセットカム(３)のカム面(４)のうち、仮想境界線(４ｄ)よりも前記ずれ側の面をずれ側面(４ｂ)とし、残りの面を反ずれ側面(４ｃ)とした場合に、反ずれ側面(４ｃ)は、ずれ側面(４ｂ)よりも低い摩擦係数の低摩擦領域(４ｅ)を備えている。
【００１５】
上記構成によれば、低摩擦係数の低摩擦領域(４ｅ)とタペット(２)との接触でタペット(２)に発生する逆回転力(２ｃ)が小さく、ずれ側面(４ｂ)とタペット(２)との接触でタペット(２)に生じる正回転力(２ｂ)が、逆回転力(２ｃ)と拮抗せず、タペット(２)がスムーズに回転し、オフセットカム(３)とタペット(２)が偏磨耗し難い。
【００１６】
低摩擦領域(４ｅ)は、反ずれ側面(４ｃ)の全域に形成されている。
低摩擦領域(４ｅ)は、反ずれ側面(４ｃ)の全域ではなく、反ずれ側面(４ｃ)の一部、例えば、図１(Ｃ)(Ｄ)に示すカムノーズ(３ｂ)の部分にのみ形成してもよい。
【００１７】
図１(Ａ)(Ｂ)に示す低摩擦領域(４ｅ)は、ずれ側面(４ｂ)よりも摩擦係数が低い低摩擦皮膜(５)を備えている。
低摩擦皮膜(５)は、固体潤滑剤を含む樹脂、フッ素樹脂、ダイヤモンドライクカーボン、二硫化モリブデン、グラファイト、リン酸マンガン塩、クロムから選択される素材の皮膜で形成されている。
このため、表面処理加工で低摩擦皮膜(５)を簡単に形成することができる。
【００１８】
固体潤滑剤には、遷移金属酸化物、グラファイト等の無機固体潤滑剤を挙げることができる。
樹脂には、ポリアミド樹脂、エポキシ樹脂、フェノール樹脂、シリコーン樹脂、ポリイミド樹脂等を挙げることができる。
【００１９】
図１(Ｂ)に示す低摩擦領域(４ｅ)の基本例について説明する。
低摩擦領域(４ｅ)は、ずれ側面(４ｂ)よりも摩擦係数が低い複数の低摩擦皮膜(５)(５)と、隣り合う低摩擦皮膜(５)(５)の間に形成される皮膜間油溝(６)を備えている。
このため、低摩擦皮膜(５)の表面と皮膜間油溝(６)内の油(７)で低摩擦領域(４ｅ)の摩擦係数を低くすることができる。
【００２０】
図１(Ｂ)に示すように、複数の低摩擦皮膜(５)(５)は斑点状に分散して配置され、皮膜間油溝(６)は網目状に形成されている。
このため、網目状の皮膜間油溝(６)で油(７)が低摩擦領域(４ｅ)にきめ細かく供給され、皮膜間油溝(６)で簡単に低摩擦領域(４ｅ)の低摩擦係数が得られる。
【００２１】
図１(Ｂ)に示すように、複数の低摩擦皮膜(５)(５)は、いずれも正六角形状に形成され、カム軸中心軸線(１ａ)に沿う向きに配置された複数の低摩擦皮膜(５)(５)の列がカム回転方向(３ａ)に沿って複数列配置されている。カム回転方向(３ａ)で隣り合う各列では、低摩擦皮膜(５)がカム軸中心軸線(１ａ)に沿う向きに半ピッチずつずらされている。
複数の低摩擦皮膜(５)(５)は、正六角形状に限らず、各種多角形状、円形状であってもよい。
【００２２】
図１(Ｂ)に示すように、皮膜間油溝(６)は六角格子の網目状に形成されている。
皮膜間油溝(６)の網目形状は、低摩擦皮膜(５)の形状に応じて異なり、低摩擦皮膜(５)が多角形である場合には、多角形格子の網目形状、円形である場合には円形の網目形状となるる。
【００２３】
図１(Ｂ)に示すように、皮膜間油溝(６)は、皮膜間誘導溝部分(６ａ)を備えている。
皮膜間誘導溝部分(６ａ)は、タペット中心軸線(２ａ)と平行な向きに見て、カム軸中心軸線(１ａ)と交差する向きとされ、皮膜間誘導溝部分(６ａ)の油出口(６ｂ)は、カム回転方向(３ａ)の上手側に配置された低摩擦皮膜(５)に向けて開口されている。
このため、皮膜間誘導溝部分(６ａ)内の油(７)が、オフセットカム(３)の回転で、カム回転方向(３ａ)の上手側に配置された低摩擦皮膜(５)に向けて誘導され、この低摩擦皮膜(５)に乗り上げた油(７)の油圧でタペット(２)が浮き、低摩擦皮膜(５)の磨耗が抑制される。
【００２４】
図１(Ｂ)に示すように、皮膜間油溝(６)の皮膜間誘導溝部分(６ａ)の形状は、カム回転方向(３ａ)の上手側に向かうＶ字形の狭窄部(６ｃ)と、狭窄部(６ｃ)の狭窄終点からカム回転方向(３ａ)の上手側に真っ直ぐに向かう直線部(６ｄ)を備えたＹ字形に形成され、直線部(６ｄ)のカム回転方向(３ａ)の上手側端部が油出口(６ｂ)となっている。
この皮膜間誘導溝部分(６ａ)の形状は、低摩擦皮膜(５)の形状に応じて異なる。
【００２５】
次に、図２(Ａ)に示す低摩擦領域(４ｅ)の第１変形例について説明する。
低摩擦皮膜(５)は、カム軸中心軸線(１ａ)に沿って並べた一対の正三角形の頂点同士を対向させて融合させた蝶形に形成され、皮膜間油溝(６)は蝶形格子の網目状に形成され、皮膜間油溝(６)の皮膜間誘導溝部分(６ａ)の形状は、カム回転方向(３ａ)の上手側に真っ直ぐに向かう直線部と、カム回転方向(３ａ)の上手側に向かうＶ字形の狭窄部を備え、直線部のカム回転方向(３ａ)の上手側端部と狭窄部の狭窄終点が合流する箇所が油出口(６ｂ)となる矢印形に形成されている。
低摩擦皮膜(５)の配置や、皮膜間油溝(６)の機能は、図１(Ｂ)の基本例と同じである。
【００２６】
次に、図２(Ｂ)に示す低摩擦領域(４ｅ)の第２変形例について説明する。
この第２変形例では、低摩擦領域(４ｅ)は、低摩擦皮膜(５)や皮膜間油溝(６)に代えて、カム面(４)に刻設された刻設油溝(８)を備え、刻設油溝(８)内の油(７)の潤滑で低摩擦係数を備えている。
このため、溝加工で低い摩擦係数の低摩擦領域(４ｅ)を簡単に得ることができる。
【００２７】
図２(Ｂ)に示すように、刻設油溝(８)は、カム回転方向(３ａ)の上手側に向けて狭搾するＶ字形に形成され、カム軸中心軸線(１ａ)に沿う向きに配置された複数の刻設油溝(８)(８)の列がカム回転方向(３ａ)に沿って複数列配置された、いわゆるヘリングボーン模様を呈している。
複数の刻設油溝(８)は、Ｖ字形のものに限らず、Ｕ字形のものや、図１(Ａ)の基本例や図２(Ａ)の第１変形例の皮膜間誘導油溝(６ａ)のようなＹ字形や矢印形のものであってもよい。
【００２８】
図２(Ｂ)に示すように、刻設油溝(８)は、刻設誘導溝部分(８ａ)(８ａ)を備えている。
刻設誘導溝部分(８ａ)(８ａ)は、タペット中心軸線(２ａ)と平行な向きに見て、カム軸中心軸線(１ａ)と交差する向きとされている。
このため、刻設誘導溝部分(８ａ)(８ａ)内の油(７)が、オフセットカム(３)の回転で、カム回転方向(３ａ)の上手側に誘導され、上手側に乗り上げた油(７)の油膜の潤滑で簡単に低摩擦領域(４ｅ)の摩擦係数を低くすることができる。
また、カム回転方向(３ａ)の上手側に誘導され、上手側に乗り上げた油(７)の油圧でタペット(２)が浮き、低摩擦領域(４ｅ)の磨耗が抑制される。
【００２９】
タペット中心軸線(２ａ)と平行な向きに見て、カム軸中心軸線(１ａ)に対し、斜め向き交差する向きに設けられた一対の刻設誘導溝部分(８ａ)(８ａ)をＶ字形に組み合わせて、刻設油溝(８)が構成されている。
【００３０】
図３に示すように、このオフセットカム装置は、エンジンの動弁装置に用いられている。
このため、動弁装置のオフセットカム(３)とタペット(２)の偏磨耗の抑制により、高い吸排気効率の維持、ランブリングノイズの低減、ロス馬力の低減を図ることができ、高出力、低騒音、低燃費のエンジンが得られる。
【００３１】
この発明の実施形態の内容は以上の通りであるが、本発明はこの実施形態に限定されるものではなく、このオフセットカム装置は、エンジンの動弁カム装置に限らず、各種機器のカム装置に用いることができる。
【符号の説明】
【００３２】
(１)…カム軸、(１ａ)…カム軸中心軸線、(２)…タペット、(２ａ)…タペット中心軸線、(３)…オフセットカム、(４)…カム面、(４ａ)…横幅中央部、(４ｂ)…ずれ側面、(４ｃ)…反ずれ側面、 (４ｄ)…仮想境界線、 (４ｅ)…低摩擦領域、(５)…低摩擦皮膜、(６)…皮膜間油溝、(６ａ)…皮膜間誘導溝部分、(６ｂ)…油出口、(７)…油、(８)…刻設油溝、(８ａ)…刻設誘導溝部分。
【図１】
2020105994.tif 000003
【図２】
2020105994.tif 000004
【図３】
2020105994.tif 000005